(57)【特許請求の範囲】
【請求項１】
自己保持型ソレノイドへパルス電流を印加することによりイジェクト／ロック機構を作動し、ディスク装填部を開放するようにしたディスク装置において、
前記イジェクト／ロック機構は、
前記ディスク装填部を閉止するときのロック位置と、前記ディスク装填部を開放するときのイジェクト位置とを移動可能とされたロック手段と、
定常状態で前記ロック手段をロック位置に位置させる磁気吸着力を発し、励磁状態で該磁気吸着力を打ち消す自己保持型ソレノイドと、
前記ロック手段をロック位置に向けて付勢する付勢力を発する付勢バネと、
前記ロック手段をイジェクト位置に向けて付勢する付勢力を発するものであって、前記ディスク装填部を閉止したとき付勢された付勢力が前記自己保持型ソレノイドの磁気吸着力以下であって前記付勢バネよりも大きくなる一方、前記ディスク装填部を開放したとき去勢されて前記付勢バネよりも付勢力が小さくなる解除バネと、
定常状態では、自己保持型ソレノイドの磁気吸着力により前記ロック手段がロック位置に位置し、
前記ディスク装填部を閉止して前記解除バネが付勢されている状態において、自己保持型ソレノイドが励磁されて吸着力が打ち消されると、解除バネの付勢力によりロック手段がイジェクト位置へ移動し、その後、ディスク装填部が開放して解除バネが去勢されると、付勢バネの付勢力によりロック手段がロック位置に移動するように構成されてなるイジェクト／ロック機構を備えたことを特徴とするディスク装置。
【請求項２】
前記ロック手段がイジェクト位置に位置したとき、解除バネの付勢力によってディスク装填部が開放されるようにしたことを特徴とする請求項１記載のディスク装置。
【請求項３】
自己保持型ソレノイドへパルス電流を印加することによりイジェクト／ロック機構を作動し、ディスク装填部を開放するようにしたディスク装置において、
前記自己保持型ソレノイドの可動片に連結されて連動し、且つ、上蓋の係止爪の押下により前記可動片を張引する方向に付勢力が発生する解除バネを備えた第１のスライダーと、前記第１のスライダーに摺接した状態で摺動可能に保持され、且つ、前記上蓋の係止爪と係合する係止爪を備え、付勢バネにより前記自己保持ソレノイドの方向に常時付勢された第２のスライダーとからなり、
前記自己保持型ソレノイドへパルス電流が印加され、前記解除バネの付勢力によりこの自己保持型ソレノイドの可動片が摺動することにより第２のスライダーを伴って第１のスライダーが摺動し、上蓋の閉止状態が解除されるようにしたイジェクト／ロック機構を備えたことを特徴とするディスク装置。
【請求項４】
解除バネの付勢力が自己保持型ソレノイドの可動片の保持力より小となるようにしたことを特徴とする請求項３記載のディスク装置。
【請求項５】
自己保持型ソレノイドへパルス電流を印加することによりイジェクト／ロック機構を作動し、ディスク装填部を開放するようにしたディスク装置において、
付勢バネの作用により先端が前記自己保持型ソレノイドの可動片に常時当接する一方、後端がシャーシに設けたロックピンと係合してドロワを閉止状態となるようにしたロックレバーと、
前記自己保持型ソレノイドの可動片に作用端が連結される一方、開放端がシャーシに当接することにより付勢力が発生する解除バネとからなり、
前記自己保持型ソレノイドへパルス電流が印加され、前記解除バネの付勢力によりこの自己保持型ソレノイドの可動片が摺動することにより前記ロックレバーが揚動し、ドロワの閉止状態が解除されるようにしたことを特徴とするディスク装置。
【請求項６】
解除バネの付勢力が自己保持型ソレノイドの可動片の保持力より小となるようにしたことを特徴とする請求項５記載のディスク装置。
【発明の詳細な説明】
【０００１】
【発明の属する技術分野】
本発明は、各種コンピュータシステムにおいてＣＤ−Ｒ／ＲＷあるいはＤＶＤ−Ｒ／ＲＷ等の光ディスクをドライブするディスク装置に関する。
【０００２】
【従来の技術】
一般に、パーソナルコンピュータ（以下、パソコンという）には情報の記録ならびに再生のため、光ディスクをドライブするためのディスク装置を欠かすことはできず、パソコン本体に内蔵するか、いわゆる外付けとしてケーブルで接続するようにしている。
【０００３】
パソコン本体に内蔵するディスク装置はドロワ方式と呼ばれ、光ディスクを収容するドロワがスイッチ操作あるいはパソコンからの指令によりパソコン本体外へせり出し、光ディスクを装填できるようにしている。一方、ケーブルで外付けする上蓋開閉方式は、その使い勝手の良さから音楽用ＣＤ再生装置からパソコン用として広範に採用されている。
【０００４】
ところで、近年、このようなパソコン用のディスク装置では、例えば、制作したプログラムあるいはビデオ映像や音楽を編集し、その情報を光ディスクへ記録する用途が多くなっているが、このような記録情報は体系化された一連の情報であるため、光ディスクへの記録は中断されることなく完了しなければならない。ところが、光ディスクを装脱するための機構部が操作されると、情報の記録中であっても、記録動作が強制的に終了されてしまう危険性がある。
【０００５】
そこで、ドロワ方式および上蓋開閉方式のいずれの方式においても、記録動作が継続されている間は、人為的操作による光ディスクの装脱をできないようにするイジェクト／ロック機構が提案されている。これは、光ディスクの装脱が可能の状態になると、これをディスク装置内のマイクロコンピュータが判断し、イジェクトの要求にもとづいて電気的及び機械的に構成されたイジェクト／ロック機構を駆動するようにしたもので、これにより記録中の人為的操作を拒絶して記録の安全性を向上するようにしたものである。
【０００６】
かかる目的を達成するイジェクト／ロック機構の方式として、まず、電動モータ方式を挙げることができる。これは特開２００１−１２６４６０「記録媒体装着装置」に開示されているごとく、動力源として電動モータを採用するもので、その駆動力を係止部材に伝達するために複数のギアを主体に構成した駆動力伝達機構を用い、ディスク装置内のマイクロコンピュータからの制御信号で電動モータを制御するようにしたものである。このように構成された電動モータ方式では、電動モータおよび部品点数の多い駆動力伝達機構を採用するため、製作コストが高くなり、また、動作中にパワーダウンした場合、その回復機構が必要となる。さらに、電動モータ、駆動力伝達機構等、数多くの部品を配置するため、かなり広いスペースを要求されることになる。
【０００７】
つぎに、吸引型ソレノイド方式は、特開平９−４４９５５「ディスク装置」に開示されているごとく、吸引型ソレノイドを動力源として配置し、そのプランジャの水平方向の移動によりロックレバーを操作してイジェクトならびにロックを司るようにしたものである。このように構成された吸引型ソレノイド方式では、吸引型ソレノイドの体積に対する吸引力の効率が低く、また、動作時に大きな電流を必要とする。さらに、可動部（鉄心）の重量が大きいため、耐衝撃性が低く、輸送時等の衝撃によりロックが解除される場合もある。
【０００８】
さらに、自己保持型ソレノイド方式は、特開平１１−３３９３５４「ディスク装置」に開示されているごとく、自己保持型ソレノイドを動力源として配置し、その可動片に連動する付勢された複数のレバーを操作してイジェクトならびにロックを司るようにしたものであり、前記電動モータ方式ならびに吸引型ソレノイド方式と比較して簡素な構成とすることができ、制作コストを低くすることができる。
【０００９】
【発明が解決しようとする課題】
このようにディスク装置のイジェクト／ロック機構の各方式において自己保持型ソレノイド方式は構成が簡素であり、低コスト、省スペースならびに低消費電力の面から総合的に前二者の方式に対し高い優位性を備える。しかしながら、近時、パソコン本体の小型軽量化に伴い、ディスク装置を搭載できる許容容積も狭小なものとなっており、特に、ノート型パソコンではきわめて扁平な形態を要求されるものである。また、上蓋開閉方式のディスク装置では小型化に伴い、イジェクト／ロック機構を配置する容積も狭小となり、該機構の簡素化は必然の要求となっている。
【００１０】
かかる事情のもとにおいては、電動モータ方式ならびに吸引型ソレノイド方式のイジェクト／ロック機構を採用することは困難であり、自己保持型ソレノイド方式を採用する場合も、その構成は極力簡素にしなければならない。
【００１１】
本発明は、かかる課題を解決するためになされたもので、自己保持型ソレノイド方式によるイジェクト／ロック機構をディスク装置の狭小な空間へ容易に無理なく実装できるようにする。そして、機構の構成要素を削減した簡素な構成とすることによりコストを低廉なものとし、故障の発生率を減少させた信頼性の高いディスク装置を提供することを目的とするものである。
【００１２】
【課題を解決するための手段】
そこで本発明は、以下に述べる各手段により上記課題を解決するようにした。即ち、請求項１記載の発明では、自己保持型ソレノイドへパルス電流を印加することによりイジェクト／ロック機構を作動し、ディスク装填部を開放するようにしたディスク装置において、前記イジェクト／ロック機構は、前記ディスク装填部を閉止するときのロック位置と、前記ディスク装填部を開放するときのイジェクト位置とを移動可能とされたロック手段と、定常状態で前記ロック手段をロック位置に位置させる磁気吸着力を発し、励磁状態で該磁気吸着力を打ち消す自己保持型ソレノイドと、前記ロック手段をロック位置に向けて付勢する付勢力を発する付勢バネと、前記ロック手段をイジェクト位置に向けて付勢する付勢力を発するものであって、前記ディスク装填部を閉止したとき付勢された付勢力が前記自己保持型ソレノイドの磁気吸着力以下であって前記付勢バネよりも大きくなる一方、前記ディスク装填部を開放したとき去勢されて前記付勢バネよりも付勢力が小さくなる解除バネと、定常状態では、自己保持型ソレノイドの磁気吸着力により前記ロック手段がロック位置に位置し、前記ディスク装填部を閉止して前記解除バネが付勢されている状態において、自己保持型ソレノイドが励磁されて吸引力が打ち消されると、解除バネの付勢力によりロック手段がイジェクト位置へ移動し、その後、ディスク装填部が開放して解除バネが去勢されると、付勢バネの付勢力によりロック手段がロック位置に移動するように構成されてなるイジェクト／ロック機構を備える。
【００１３】
請求項２記載の発明では、上記請求項１記載の発明において、ロック手段がイジェクト位置に位置したとき、解除バネの付勢力によってディスク装填部が開放されるようにする。
【００１４】
請求項３記載の発明では、自己保持型ソレノイドへパルス電流を印加することによりイジェクト／ロック機構を作動し、ディスク装填部を開放するようにしたディスク装置において、前記自己保持型ソレノイドの可動片に連結されて連動し、且つ、上蓋の係止爪の押下により前記可動片を張引する方向に付勢力が発生する解除バネを備えた第１のスライダーと、前記第１のスライダーに摺接した状態で摺動可能に保持され、且つ、前記上蓋の係止爪と係合する係止爪を備え、付勢バネにより前記自己保持ソレノイドの方向に常時付勢された第２のスライダーとからなり、前記自己保持型ソレノイドへパルス電流が印加され、前記解除バネの付勢力によりこの自己保持型ソレノイドの可動片が摺動することにより第２のスライダーを伴って第１のスライダーが摺動し、上蓋の閉止状態が解除されるようにする。
【００１５】
請求項４記載の発明では、上記請求項３記載の発明において、解除バネの付勢力が自己保持型ソレノイドの可動片の保持力より小となるようにする。
【００１６】
請求項５記載の発明では、自己保持型ソレノイドへパルス電流を印加することによりイジェクト／ロック機構を作動し、ディスク装填部を開放するようにしたディスク装置において、付勢バネの作用により先端が前記自己保持型ソレノイドの可動片に常時当接する一方、後端がシャーシに設けたロックピンと係合してドロワを閉止状態となるようにしたロックレバーと、前記自己保持型ソレノイドの可動片に作用端が連結される一方、開放端がシャーシに当接することにより付勢力が発生する解除バネとからなり、前記自己保持型ソレノイドへパルス電流が印加され、前記解除バネの付勢力によりこの自己保持型ソレノイドの可動片が摺動することにより前記ロックレバーが摺動し、ドロワの閉止状態が解除されるようにする。
【００１７】
請求項６記載の発明では、上記請求項５記載の発明において、解除バネの付勢力が自己保持型ソレノイドの可動片の保持力より小となるようにする。
【００１８】
【発明の実施の形態】
以下、図に示す本発明の実施の形態を詳細に説明する。図１は、本発明の第１実施例である上蓋開閉方式（ポータブル型）のディスク装置Ｄ１を示す斜視図であり、パソコン本体へ図示しないケーブルを接続して使用できる状態となる。このディスク装置Ｄ１は、本体１と、該本体に形成された記録媒体としての光ディスク（ＣＤ−Ｒ／ＲＷ、ＤＶＤ−Ｒ／ＲＷ等）を収容するディスク装填部２ならびに上蓋３とにより主体が構成され、前記ディスク装填部２の中心位置に光ディスクを回転駆動するためのターンテーブル４と、光ディスクの径方向に移動するピックアップ５が配設されている。
【００１９】
前記上蓋３には、該上蓋を本体１上面に閉止するための係止爪６が一体に形成されており、本体１の前記係止爪６の対向位置には、該係止爪の本体内への進入を許容する通孔７が形成されている。そして、前記通孔７に対する位置の本体内部にイジェクト／ロック機構が配設される。
【００２０】
図２および図３は、第１実施例のイジェクト／ロック機構Ａを示す斜視図であり、その駆動源となる自己保持型ソレノイド８は一対のヨーク８ａ、８ｂの先端が励磁コイル８ｃ、８ｄの一端からほぼ中位まで挿入され固定されている。そして、前記ヨーク８ａ、８ｂの端部には永久磁石８ｅが介装されており、これにより馬蹄形の磁気回路が形成されている。一方、励磁コイル８ｃ、８ｄの他端には磁性体である可動片８ｆの開放端部が摺動可能に挿入されている。このため、定常状態では、前記永久磁石８ｅにより形成されている磁気回路の磁力に前記可動片８ｆが吸着されている状態で保持されている。そして、励磁コイル８ｃ、８ｄの終端の端子８ｈ、８ｉから永久磁石８ｅにより発生している磁場とは逆の磁場が発生するように直流電流を流すことにより、前記永久磁石８ｅにより発生している磁場が打ち消され、可動片８ｆの拘束が解除される。なお、この自己保持型ソレノイド８はネジ８ｊにより図２に示すごとく本体１に固定されている。
【００２１】
つぎに、符号９は第１のスライダーであり、その先端９ａが前記自己保持型ソレノイド８の可動片８ｆの連結孔８ｇに連結されており、可動片８ｆに連動するようにされている。そして、第１のスライダー９の後端には解除バネ１０の作用端１０ａが係止されており、自由端１０ｂは前記上蓋３の係止爪６に押下されたとき付勢力が発生するようにしている。なお、この解除バネ１０の付勢力は前記自己保持型ソレノイド８がその可動片８ｆを磁気吸着している力より小さいことを要する。また、解除バネ１０の主体部分はネジ止めなどの適宜手段により支持体に固定されている。ところで、前記第１のスライダー９の主体部にはガイド孔９ｂ、９ｃが形成されており、後述の第２のスライダー１１と連動または該第２のスライダーが単独で動作できるようにしている。
【００２２】
つぎに、第２のスライダー１１は、前記第１のスライダー９に密接した状態で摺動可能に配設されるもので、第１のスライダー９のガイド孔９ｂに遊嵌するガイドピン１１ａおよび上蓋３の係止爪６に係合する係止爪１１ｂを備え、ガイド孔１１ｃ、１１ｄが形成されている。そして、側部に形成されたフック１１ｅには付勢バネ１２の一端が掛止され、他端が本体１に形成されたフック１３に掛止されており、これにより、常時、第２のスライダー１１は自己保持型ソレノイド８の方向に付勢される。
【００２３】
ここのように構成した第１および第２のスライダーを図２に示すごとく、印刷基板１５とともにネジ１４により本体１に形成したネジ受けボス１６へ摺動可能に取り付けると、前記第２のスライダーのガイドピン１１ａがガイド孔９ｂに遊嵌するとともに、本体１に形成したガイドピン１７が第２のスライダーのガイド孔１１ｃならびに第１のスライダー９のガイド孔９ｂに遊嵌する。
【００２４】
以上のごとく構成された第１実施例のイジェクト／ロック機構Ａの図２に示す状態、すなわち、上蓋３を閉止する途上の段階では、解除バネ１０の自由端１０ｂは係止爪６で押下されていないので付勢力が発生せず、去勢されている状態にあるので、この解除バネ１０による第１のスライダー９に対する作用は発生していない。一方、第２のスライダー１１は、常時、付勢バネ１２で張引されているので、同図矢印Ｘ１の方向に張引され、ガイドピン１１ａにより第１のスライダー９も同時に矢印Ｘ１の方向に張引されることになる。
【００２５】
つぎに、上蓋３の閉止を続行すると、係止爪６の頭頂部が解除バネ１０の自由端１０ｂを押下しつつ、係止爪６と係止爪１１ｂの傾斜部が当接し、これにより第２のスライダー１１が矢印Ｘ２の方向に摺動する。このとき、解除バネ１０の付勢力が徐々に発生するが、自己保持型ソレノイド８にその可動片８ｆが強力に吸着されているので、第１のスライダー９はそのままの状態を維持したままであり、第２のスライダー１１のみが摺動することになる。
【００２６】
そして、さらに係止爪６が押下（矢印Ｙ１方向）されると係止爪１１ｂとの傾斜部での係接が外れ、係止爪６および１１ｂの顎部が図４（イ）に示すごとく係合し、上蓋３のロックを完了する。このとき解除バネ１０は、係止爪６により最大限に押下された状態にあり、その付勢力は第１のスライダー９を矢印Ｘ２の方向へ摺動させようとするとともに、係止爪６を上方（Ｙ２方向）へ押し上げるように作用する。なお、このときの解除バネ１０による矢印Ｘ２方向への付勢力は、付勢バネ２による矢印Ｘ１方向への付勢力よりも大きい。
【００２７】
このようにして上蓋３がロックされている状態において、上蓋３のイジェクトを行う場合は、本体１に配設されたイジェクトスイッチ（図示せず）あるいはパソコンの指令にもとづいて送出されるパルス電流を自己保持型ソレノイド８の励磁コイル８ｃ、８ｄに印加する。すると、ヨーク８ａ、８ｂに発生している永久磁石８ｅの磁界が瞬間的に打ち消される。これにより、解除バネ１０の付勢力（付勢バネ１２の付勢力より大きい）が作用し、図４（ロ）に示すごとく第１のスライダー９が瞬時に矢印Ｘ２方向に摺動する。このとき、ガイド孔９ｂに第２のスライダー１１のガイドピン１１ａが係合しているので、該第２のスライダー１１も同時に摺動する。これにより、係止爪６が矢印Ｘ２の方向に移動し、係止爪１１ｂとの係合が解除されることになる。そして、かかる状態に至ると、解除バネ１０の残余の付勢力および上蓋３を開放方向に付勢するバネ（図示せず）の付勢力により係止爪６を図４（ハ）に示すごとく押し上げ、上蓋３の開放が可能となる。上蓋３が開放方向に移動して、係止爪６の頭頂部が解除バネ１０の自由端１０ｂの押圧を解除することにより、解除バネ１０に蓄えられていた付勢力が放出され、従って、解除バネ１０による第１のスライダー９に対する付勢作用は略無くなる。解除バネ１０による矢印Ｘ２方向への付勢力が、付勢バネ１２による矢印Ｘ１方向への付勢力より小さくなることにより、第２のスライダー１１が付勢力によって矢印Ｘ１方向に摺動する。このとき、第２のスライダー１１に押圧されて、第１のスライダー９および可動片８ｆも同時に矢印Ｘ１方向に摺動する。これにより、可動片８ｆが自己保持型ソレノイドに吸着保持されて図２の状態に復帰する。
【００２８】
つぎに、本発明をドロワ方式に実施した第２実施例について詳細に説明する。図５はノート型パソコンなどに内蔵されるディスク装置Ｄ２の全体的な構成を示す斜視図であり、同図において、ドロワ２０はシャーシ２１にその側部をレール２２で摺動可能に保持されて前後方向に移動できるように構成されている。そして、ドロワ２０は、光ディスクを収容するディスク装填部２３と、ディスクモータで駆動されるターンテーブル２４等のディスク駆動機構と、回転するディスクにレーザ光を照射してその反射光を取り込むことによりディスクからデータを読み出すピックアップ２５と、このピックアップ２５をディスクの径方向に移動する搬送機構２６等を備える。また、ドロワ２０のフロントパネルには、イジェクトスイッチ２８、動作確認発光部２９を備え、強制的にイジェクトを行うための通孔３０が形成されている。そして、このディスク装置Ｄ２に組み込むイジェクト／ロック機構Ｂは、前記通孔３０の背面のドロワ２０の破線で示す狭小な部分に内蔵される。
【００２９】
ここで、第２実施例のイジェクト／ロック機構Ｂをドロワ２０の底面から俯瞰した状態の図６乃至図９にもとづいてその構成と動作工程を詳細に説明する。なお、第２実施例において採用する自己保持型ソレノイドは、第１実施例と同一の構成のものを採用するので、同一の符号を付するが、具体的な説明は省略する。
【００３０】
同図における自己保持型ソレノイド８は、一方のヨーク８ｂを位置決めピンで支持し、他方のヨーク８ａをネジ８ｊによりドロワ２０の基板に固定している。そして、ドロワ２０の基板にネジ３１で支持された解除バネ３２の作用端３２ａが可動片８ｆの連結孔８ｇに係止されており、他端３２ｂはドロワ２０の開放時に自由端となり、ドロワを閉じたときそのシャーシ２１の端部２１ａで付勢されるようにしている。
【００３１】
符号３３はロックレバーであり、中央部がネジ３４で揺動可能に支持されており、該ロックレバーの先端３３ａは付勢バネ３５の作用により常時、自己保持型ソレノイド８の可動片８ｆの先端に当接している。そして、ロックレバー３３の後端には、シャーシ２１から内部に垂下させて固定したロックピン３７と係合する段部３３ｂと傾斜部３３ｃが形成されている。
【００３２】
符号３８はドロワ２０の押圧機構であり、ドロワ２０を閉じたとき、その後端部２２ａが押圧レバー３９の先端３９ａに当接し、さらにドロワ２０を押し込むことにより、押圧レバー３９とシャーシ２１との間に張設されたコイルバネ４０の付勢力によりドロワ２０が前進する方向に押圧される。
【００３３】
このように構成した第２実施例のイジェクト／ロック機構Ｂを備えたドロワ２０が図６に示すごとくパソコン本体から開放されている状態では、解除バネ３２の自由端３２ｂは何等作用を受けていないので、該解除バネ３２には付勢力が発生せず、去勢された状態となっている。
【００３４】
つぎに、光ディスクをディスク装填部２３に装填し、ドロワ２０をシャーシ２１に収容する場合は、手動操作によりドロワ２０を後退させる。そして、ドロワ２０の後退が進行し、図７に示すごとくロックピン３７にロックレバー３３の傾斜部３３ｃが当接すると、該ロックレバー３３は次第に揺動し、さらにドロワ２０を後退させることによりロックピン３７がロックレバー３３の段部３３ｂと係合し、図８に示すごとくドロワ２０のロックが完了する。
【００３５】
このとき、解除バネ３２の自由端３２ｂはシャーシ２１の端部２１ａに当接し、  付勢力が発生する。この状態に至ると、解除バネ３２の作用端３２ａは、自己保持型ソレノイド８の可動片８ｆを引き出す方向に作用するが、その付勢力は、自己保持型ソレノイド８が磁力により可動片８ｆを吸着し、保持している力より小さく設定しているので、可動片８ｆは自己保持型ソレノイド８に保持されている状態を維持する。なお、このときに可動片８ｆを引出す方向に作用する解除バネ３２による付勢力は、ロックレバー３３に作用する付勢バネ３５による付勢力よりも大きい。また、このようにしてドロワ２０がロックされると、ドロワ２０の後端部２２ａが押圧機構３８の押圧レバー３９の先端３９ａを押し上げる。これにより、コイルバネ４０によりドロワ２０を前進させる方向への付勢力が発生する。
【００３６】
このようにしてドロワ２０がロックされている状態からイジェクトを指示し、ドロワ２０の開放を行う場合は、イジェクトスイッチ２８の操作あるいはパソコンからの指令にもとづいて自己保持型ソレノイド８の励磁コイル８ｃ、８ｄにパルス電流が印加される。そして、前記励磁コイル８ｃ、８ｄが発生する磁界によりヨーク８ａ、８ｂの磁界が打ち消され、可動片８ｆの吸着力が瞬間に解除バネ３２の付勢力以下となる。このとき、解除バネ３２の付勢力が作用して、前記可動片８ｆは引き抜かれる方向に摺動するとともに、該可動片８ｆの先端がロックレバー３３の先端３３ａを押圧して転動させることにより、その段部３３ｂとロックピン３７の係合が図９に示すごとく解除される。この状態に至ると、コイルバネ４０の付勢力による押圧レバー３９の作用が働き、ドロワ２０は所定距離だけ前方へ押し出され、以後、ドロワ２０を手動で前進させることで、ディスク装填部２３が開放されることになる。
【００３７】
ドロワ２０が前方へ押し出され、シャーシ２１の端部２１ａによる解除バネ３２の自由端３２ｂの押圧が解除されることにより、解除バネ３２に蓄えられていた付勢力が放出され、従って、解除バネ３２による可動片８ｆに対する付勢作用は略無くなる。解除バネ３２による可動片８ｆに対する付勢力が、付勢バネ３５によるロックレバー３３に対する付勢力よりも小さくなることにより、ロックレバー３３が付勢バネ３５の付勢力によって反時計回り方向に回動する。このとき、ロックレバー３３に押圧されて、可動片８ｆも同時に吸着方向に摺動する。これにより、可動片８ｆが自己保持型ソレノイドに吸着保持されて図６の状態に復帰する。
【００３８】
このように第２実施例による場合は、唯一のロックレバーのみでドロワのロックおよびイジェクトを司る機構を構成することができるので、ディスク装置の狭小な部分に余裕をもって配設することができ、また、構成が簡素であることから故障の要因を排除することができる。
【００３９】
【発明の効果】
以上、詳細に説明したごとく本発明のイジェクト／ロック機構によれば、ディスクを装填した状態において付勢力が発生する解除バネを採用したので、イジェクトに関連する機構を大幅に省略することができ、これにより簡素な構成とすることができる。従って、部品点数を削減し、同機構部分のコストを削減できるとともに、故障の確率の低いディスク装置を提供することができるものである。
【図面の簡単な説明】
【図１】本発明の実施対象である上蓋開閉方式のディスク装置の斜視図である。
【図２】本発明の第１実施例を示す斜視図である。
【図３】図２の分解斜視図である。
【図４】本発明の第１実施例の動作を説明する工程図である。
【図５】本発明の実施対象であるドロワ方式のディスク装置の斜視図である。
【図６】本発明の第２実施例の第１の工程を示す図である。
【図７】本発明の第２実施例の第２の工程を示す図である。
【図８】本発明の第２実施例の第３の工程を示す図である。
【図９】本発明の第２実施例の第４の工程を示す図である。
【符号の説明】
Ａ・・・・・ディスク装置（上蓋開閉方式）
１・・・・・本体
２・・・・・ディスク装填部
３・・・・・上蓋
４・・・・・ターンテーブル
５・・・・・ピックアップ
６・・・・・係止爪
７・・・・・通孔
８・・・・・自己保持型ソレノイド
９・・・・・第１のスライダー
１０・・・・解除バネ
１１・・・・第２のスライダー
１２・・・・付勢バネ
１３・・・・フック
Ｂ・・・・・ディスク装置（ドロワ方式）
２０・・・・ドロワ
２１・・・・シャーシ
２２・・・・レール
２３・・・・ディスク装填部
２４・・・・ターンテーブル
２５・・・・ピックアップ
２８・・・・イジェクトスイッチ
３２・・・・解除バネ
３３・・・・ロックレバー
３５・・・・付勢バネ
３６・・・・シールドカバー
３７・・・・ロックピン
３８・・・・押圧機構
【図１】
0003744394.tif 000002
【図２】
0003744394.tif 000003
【図３】
0003744394.tif 000004
【図４】
0003744394.tif 000005
【図５】
0003744394.tif 000006
【図６】
0003744394.tif 000007
【図７】
0003744394.tif 000008
【図８】
0003744394.tif 000009
【図９】
0003744394.tif 000010